(57)【要約】缶又は他の物品を搬送するための、斜面隅部を有するカートンであって、缶又は物品を２層に収容することができるように、かみ合わせセパレータパッド（１４）を設けたカートンが提供される。カートンは２つの端部を有し、その各々は、２つの側部端蓋体並びに上部端フラップ及び底部端フラップ（３０、３４）によって閉鎖される。各側部端蓋体は、かみ合わせセパレータパッド（１４）の端部分とかみ合わされる穴（９６）を有する。セパレータパッド（１４）を側部端蓋体の穴（９６）とかみ合わせることにより、缶をカートンから取り出すとき、パッド（１４）がずれることが防止される。これらの実施の形態の両方は、内部の缶又は物品の取り出し用のディスペンサを側部パネル（１８、２６）に有することができる。
2007519580.tif 000002
【特許請求の範囲】
【請求項１】
複数の物品を詰め込んだ、２つの端部を有する物品搬送カートンであって、
（ａ）底部パネル、上部パネル、及び折り曲げ可能に取り付けられて隣接した側部パネルを有し、各端部が、前記上部パネルに折り曲げ可能に取り付けられた上部端フラップ、前記底部パネルに折り曲げ可能に取り付けられた底部端フラップ、及び各側部パネルに折り曲げ可能に取り付けられた斜めパネル、及び各斜めパネルに折り曲げ可能に取り付けられた側部端フラップによって閉鎖されるかみ合わせ端部であり、各々の前記斜めパネル及び折り曲げ可能に取り付けられた側部端フラップが、側部端蓋体を構成しており、各側部端蓋体が穴を有し、該側部端蓋体は、固定手段によって合わせて保持されている、該カートンと、
（ｂ）各層に物品を少なくとも２列に並べた２つの物品層と、
（ｃ）２つの端部を有するかみ合わせセパレータパッドであって、該端部の各々がかみ合わせ端部であり、該パッドは４つの傾斜隅部を有し、該傾斜隅部の各々が、該カートンの斜めパネルに近接しており、該パッドは、前記２つの物品層の間に位置し、該パッドの各端部は、該カートンの、該パッドの該端部が近接する該端部上の前記側部端蓋体内の前記穴とかみ合わされるかみ合わせ端部分を有し、該パッドの少なくとも一方の端部は、該カートンの前記底部パネルに少なくともほぼ垂直である平面に折り曲げられる前フラップを有する、かみ合わせセパレータパッドと
を備える、複数の物品を詰め込んだカートン。
【請求項２】
前記カートンの各側部端蓋体を固定するための前記手段は、前記上部端フラップ及び前記底部端フラップを前記側部端フラップに接着することによるものである、請求項１に記載の複数の物品を詰め込んだカートン。
【請求項３】
前記物品は、湾曲した外周を有するとともに２つの端部を有する円筒形容器であり、軸が前記２つの端部間に延在し、前記円筒形容器の該軸は、前記セパレータパッドに垂直であり、前記容器は各層に、前記カートンの各斜めパネルが容器の前記湾曲した外周に近接するようにして配置される、請求項１に記載の複数の物品を詰め込んだカートン。
【請求項４】
前記セパレータパッドの各端部は、前フラップを有する、請求項３に記載の複数の円筒形容器を詰め込んだカートン。
【請求項５】
前記セパレータパッドの各端部分は、前記カートンの一方の端部の前記側部端蓋体とかみ合わされ、各側部端蓋体の前記穴は、スロットであり、セパレータパッドの各かみ合わせ端部分は、複数のタブを有し、該タブの各々は、側部端蓋体内のスロットを通って延出して前記セパレータパッドを前記側部端蓋体とかみ合わせることができ、該セパレータパッドの各前フラップは、前記カートンの一方の端部の前記側部端蓋体と前記カートン内の近接した容器層との間に挟まれる、請求項３に記載の複数の円筒形容器を詰め込んだカートン。
【請求項６】
各側部端蓋体は１つのスロットを有し、前記セパレータパッドの各端部分は２つのタブを有する、請求項５に記載の複数の円筒形容器を詰め込んだカートン。
【請求項７】
前記カートンは、除去時に各層から前記容器を取り出すことができるようにする開口を提供するディスペンサフラップを有し、該ディスペンサフラップは、前記カートンの端部に少なくともほぼ平行である、側部パネル内の底部引裂き線と、該底部引裂き線から間隔をおいてそれに少なくともほぼ平行である上部引裂き線とによって形成され、前記底部引裂き線及び前記上部引裂き線は、前記隣接した上部パネル内に延びて互いに相互接続し、且つ前記隣接した底部パネル内に延びて互いに相互接続しており、前記平行な引裂き線は、人が前記開口から容器を取り出すことができるようにするのに十分な距離だけ離れている、請求項３に記載の複数の円筒形容器を詰め込んだカートン。
【請求項８】
前記カートンの前記側部パネルの前記底部引裂き線は、前記最も近い側部端フラップから、該最も近い側部端フラップが位置する前記端部を下にして前記カートンを置いているとき、前記最も近い側部端フラップに近接した容器が前記ディスペンサフラップを取り除いたときに形成される前記開口から転がり出ることを防止するのに十分な距離にあるが、前記底部引裂き線は、前記最も近い側部端フラップに近接した容器を前記開口から取り出すのを妨げるほど前記最も近い側部端フラップから遠い位置にない、請求項７に記載の複数の円筒形容器を詰め込んだカートン。
【請求項９】
前記カートンの前記隣接した底部パネル及び前記隣接した上部パネル内に延びた前記引裂き線は、前記ディスペンサフラップを取り除いたときに形成される前記開口から人が容器の前記近接した端部を把持できるようにするのに十分に前記パネルの各々の内部に延びている、請求項８に記載の複数の円筒形容器を詰め込んだカートン。
【請求項１０】
前記カートンの前記側部パネルの前記底部引裂き線及び前記上部引裂き線を引裂き線が相互接続して前記ディスペンサフラップを開きやすくしている、請求項９に記載の複数の円筒形容器を詰め込んだカートン。
【請求項１１】
前記ディスペンサフラップ内で、前記側部パネルの前記上部引裂き線及び前記底部引裂き線を相互接続する前記引裂き線の近接位置に少なくとも１つのフィンガフラップを有し、前記ディスペンサフラップを切り開きやすくしている、請求項１０に記載の複数の円筒形容器を詰め込んだカートン。
【請求項１２】
前記底部パネルの、前記底部引裂き線と前記最も近い底部端フラップとの間の引裂き線、及び前記上部パネルの、前記底部引裂き線と前記最も近い上部端フラップとの間の引裂き線を有し、人が前記側部パネルの、前記底部引裂き線と前記最も近い側部端フラップとの間の部分を、前記ディスペンサフラップを取り除くことによって形成された前記開口から容器を容易に取り出すことができるようにするのに十分な距離だけ移動させることができるようにした、請求項１１に記載の複数の円筒形容器を詰め込んだカートン。
【請求項１３】
前記セパレータパッドの各端部分は、前記カートンの一方の端部の前記側部端蓋体とかみ合わされ、各側部端蓋体の前記穴は、前記側部端蓋体を取り付けた前記側部パネルから遠位の前記蓋体の端部内のスリットであり、前記セパレータパッドの各端部分は、前フラップであり、該前フラップは、各前フラップを前記スリットに通して延出させ、カートンの前記底部パネルに垂直な平面に折り曲げることにより、前記カートンの端部で前記側部端蓋体の前記スリットとかみ合わされる、請求項１に記載の複数の物品を詰め込んだカートン。
【請求項１４】
前記カートンの各側部端蓋体を固定するための前記手段は、前記上部端フラップ及び前記底部端フラップを前記側部端フラップに接着することによるものである、請求項１３に記載の複数の物品を詰め込んだカートン。
【請求項１５】
前記物品は、湾曲した外周及び２つの端部を有する円筒形容器であり、軸が前記２つの端部間に延在し、前記円筒形容器の該軸は、前記セパレータパッドに垂直であり、前記容器は各層に、前記カートンの各斜めパネルが容器の前記湾曲した外周に近接するようにして配置される、請求項１４に記載の複数の物品を詰め込んだカートン。
【請求項１６】
除去時に各層から前記容器を取り出すことができるようにする開口を提供するディスペンサフラップを有し、該ディスペンサフラップは、前記カートンの端部に少なくともほぼ平行である、側部パネル内の底部引裂き線と、該底部引裂き線から間隔をおいてそれに少なくともほぼ平行である上部引裂き線とによって形成され、前記底部引裂き線及び前記上部引裂き線は、前記隣接した上部パネル内に延びて互いに相互接続し、且つ前記隣接した底部パネル内に延びて互いに相互接続しており、前記平行な引裂き線は、人が前記開口から容器を取り出すことができるようにするのに十分な距離だけ離れている、請求項１５に記載の複数の円筒形容器を詰め込んだカートン。
【請求項１７】
前記カートンの前記側部パネルの前記底部引裂き線は、前記最も近い側端部フラップから、該最も近い側部端フラップが位置する前記端部を下にして前記カートンを置いているとき、前記最も近い側部端フラップに近接した容器が前記ディスペンサフラップを取り除いたときに形成される前記開口から転がり出ることを防止するのに十分な距離にあるが、前記底部引裂き線は、前記最も近い側部端フラップに近接した容器を前記開口から取り出すのを妨げるほど前記最も近い側部端フラップから遠い位置にない、請求項１６に記載の複数の円筒形容器を詰め込んだカートン。
【請求項１８】
前記カートンの前記隣接した底部パネル及び前記隣接した上部パネル内に延びた前記引裂き線は、前記ディスペンサフラップを取り除いたときに形成される前記開口から人が容器の前記近接した端部を把持できるようにするのに十分に前記パネルの各々の内部に延びている、請求項１７に記載の複数の円筒形容器を詰め込んだカートン。
【請求項１９】
前記カートンの前記側部パネルの前記底部引裂き線及び前記上部引裂き線を引裂き線が相互接続して前記ディスペンサフラップを開きやすくしている、請求項１８に記載の複数の円筒形容器を詰め込んだカートン。
【請求項２０】
前記ディスペンサフラップ内で、前記側部パネルの前記上部引裂き線及び前記底部引裂き線を相互接続する前記引裂き線の近接位置に少なくとも１つのフィンガフラップを有し、前記ディスペンサフラップを切り開きやすくしている、請求項１９に記載の複数の円筒形容器を詰め込んだカートン。
【請求項２１】
前記底部パネルの、前記底部引裂き線と前記最も近い底部端フラップとの間の引裂き線、及び前記上部パネルの、前記底部引裂き線と前記最も近い上部端フラップとの間の引裂き線を有し、人が前記側部パネルの、前記底部引裂き線と前記最も近い側部端フラップとの間の部分を、前記ディスペンサフラップを取り除くことによって形成された前記開口から容器を容易に取り出すことができるようにするのに十分な距離だけ移動させることができるようにした、請求項２０に記載の複数の円筒形容器を詰め込んだカートン。
【請求項２２】
除去時に各層から前記容器を取り出すことができるようにする開口を提供するディスペンサフラップを有し、該ディスペンサフラップは、前記カートンの端部に少なくともほぼ平行である側部パネルの底部引裂き線、及び、該底部引裂き線から間隔をおいてそれに少なくともほぼ平行である上部引裂き線とによって形成され、前記底部引裂き線及び前記上部引裂き線は、前記隣接した上部パネル内に延びて互いに相互接続し、且つ前記隣接した底部パネル内に延びて互いに相互接続しており、前記平行な引裂き線は、人が前記開口から容器を取り出すことができるようにするのに十分な距離だけ離れている、請求項５に記載の複数の円筒形容器を詰め込んだカートン。
【請求項２３】
前記カートンの前記側部パネルの前記底部引裂き線は、前記最も近い側部端フラップから、該最も近い側部端フラップが位置する前記端部を下にして前記カートンを置いているとき、前記最も近い側部端フラップに近接した容器が前記ディスペンサフラップを取り除いたときに形成される前記開口から転がり出ることを防止するのに十分な距離にあるが、前記底部引裂き線は、前記最も近い側部端フラップに近接した容器の前記開口からの取り出しを妨げるほど前記最も近い側部端フラップから遠い位置にない、請求項２２に記載の複数の円筒形容器を詰め込んだカートン。
【請求項２４】
前記カートンの前記隣接した底部パネル及び前記隣接した上部パネル内に延びた前記引裂き線は、前記ディスペンサフラップを取り除いたときに形成される前記開口から人が容器の前記近接した端部を把持できるようにするのに十分に前記パネルの各々の内部に延びている、請求項２３に記載の複数の円筒形容器を詰め込んだカートン。
【請求項２５】
前記カートンの前記側部パネルの前記底部引裂き線及び前記上部引裂き線を引裂き線が相互接続して前記ディスペンサフラップを開きやすくしている、請求項２４に記載の複数の円筒形容器を詰め込んだカートン。
【請求項２６】
前記ディスペンサフラップ内で、前記側部パネルの前記上部引裂き線及び前記底部引裂き線を互いに接続する前記引裂き線の近接位置に少なくとも１つのフィンガフラップを有し、前記ディスペンサフラップを切り開きやすくしている、請求項２５に記載の複数の円筒形容器を詰め込んだカートン。
【請求項２７】
前記底部パネル内の、前記底部引裂き線と前記最も近い底部端フラップとの間の引裂き線、及び前記上部パネル内の、前記底部引裂き線と前記最も近い上部端フラップとの間に引裂き線を有し、人が前記側部パネルの、前記底部引裂き線と前記最も近い側部端フラップとの間の部分を、前記ディスペンサフラップを取り除くことによって形成された前記開口から容器を容易に取り出すことができるようにするのに十分な距離だけ移動させることができるようにした、請求項２６に記載の複数の円筒形容器を詰め込んだカートン。
【請求項２８】
各層に３列の容器が並んでいる、請求項５に記載の複数の円筒形容器を詰め込んだカートン。
【請求項２９】
各層に３列の容器が並んでいる、請求項１５に記載の複数の円筒形容器を詰め込んだカートン。
【請求項３０】
各層に少なくとも２列に並べた２層の複数の円筒形容器物品を搬送するための、２つの端部を有するカートン、及び該容器層を分離状態に保持するためのかみ合わせセパレータパッドであって、
（ａ）底部パネル、上部パネル、及び折り曲げ可能に取り付けられて隣接した側部パネルを有し、各端部が、前記上部パネルに折り曲げ可能に取り付けられた上部端フラップ、前記底部パネルに折り曲げ可能に取り付けられた底部端フラップ、及び各側部パネルに折り曲げ可能に取り付けられた斜めパネル、及び各斜めパネルに折り曲げ可能に取り付けられた側部端フラップによって閉鎖されるかみ合わせ端部であり、各々の前記斜めパネル及び折り曲げ可能に取り付けられた側部端フラップが、側部端蓋体を構成しており、各側部端蓋体が穴を有し、該側部端蓋体は、固定手段によって合わせて保持されている、該カートンと、
（ｂ）２つの端部を有するかみ合わせセパレータパッドであって、該端部の各々がかみ合わせ端部であり、該パッドは４つの傾斜隅部を有し、該傾斜隅部の各々が、該カートンの斜めパネルに近接しており、該パッドは、前記２つの容器層の間に位置するように構成され、該パッドの各端部は、該カートンの、該パッドの該端部が近接する該端部上の前記側部端蓋体内の前記穴とかみ合わされる該パッドのかみ合わせ端部分を有し、該パッドの少なくとも一方の端部は、該カートンの前記底部パネルに少なくともほぼ垂直である平面に折り曲げられる前フラップを有する、かみ合わせセパレータパッドとを備える、カートン及びかみ合わせセパレータパッド。
【請求項３１】
前記セパレータパッドの各端部分は、前記カートンの一方の端部の前記側部端蓋体とかみ合わされ、前記カートンの各端部の各側部端蓋体の前記穴はスロットであり、セパレータパッドの各かみ合わせ端部分は複数のタブを有し、該タブの各々は側部端蓋体内のスロットを通って延出して前記セパレータパッドを前記側部端蓋体とかみ合わせる、請求項３０に記載のカートン及びかみ合わせセパレータパッド。
【請求項３２】
前記カートンは、除去時に各層から前記容器を取り出すことができるようにする開口を提供するディスペンサフラップを有し、該ディスペンサフラップは、前記カートンの端部に少なくともほぼ平行である、側部パネル内の底部引裂き線と、該底部引裂き線から間隔をおいてそれに少なくともほぼ平行に設けられた上部引裂き線とによって形成され、前記底部引裂き線及び前記上部引裂き線は、前記隣接した上部パネル内に延びて互いに相互接続し、且つ前記隣接した底部パネル内に延びて互いに相互接続しており、前記平行な引裂き線は、人が前記開口から容器を取り出すことができるようにするのに十分な距離だけ離れている、請求項３１に記載のカートン及びかみ合わせセパレータパッド。
【請求項３３】
前記セパレータパッドの各端部分は、前記カートンの一方の端部の前記側部端蓋体とかみ合わされ、各側部端蓋体の前記穴は、前記側部端蓋体を取り付けた前記側部パネルから遠位の端部内のスリットであり、前記セパレータパッドは、２つの前フラップを有し、該前フラップは、各前フラップを前記カートンの端部の前記側部端蓋体の前記スリットに通して延出させ、カートンの前記底部パネルに垂直な平面に折り曲げることにより、前記カートンの前記端部で前記側部端蓋体の前記スリットとかみ合わされる、請求項３０に記載のカートン及びかみ合わせセパレータパッド。
【請求項３４】
前記カートンは、除去時に各層から前記容器を取り出すことができるようにする開口を提供するディスペンサフラップを有し、該ディスペンサフラップは、前記カートンの端部に少なくともほぼ平行である、側部パネル内の底部引裂き線と、該底部引裂き線から間隔をおいてそれに少なくともほぼ平行に設けられた上部引裂き線とによって形成され、前記底部引裂き線及び前記上部引裂き線は、前記隣接した上部パネル内に延びて互いに相互接続し、且つ前記隣接した底部パネル内に延びて互いに相互接続しており、前記平行な引裂き線は、人が前記開口から容器を取り出すことができるようにするのに十分な距離だけ離れている、請求項３３に記載のカートン及びかみ合わせセパレータパッド。
【請求項３５】
各層に少なくとも２列に並べた２層の複数の円筒形容器を搬送するための、２つの端部を有するカートン用のブランク、及び該容器層を分離状態に保持するためのかみ合わせセパレータパッドであって、
（ａ）底部パネル、上部パネル、及び折り曲げ可能に取り付けられて隣接した側部パネルを有し、各端部が、前記上部パネルに折り曲げ可能に取り付けられた上部端フラップ、前記底部パネルに折り曲げ可能に取り付けられた底部端フラップ、及び各側部パネルに折り曲げ可能に取り付けられた斜めパネル、及び各斜めパネルに折り曲げ可能に取り付けられた側部端フラップによって閉鎖されるかみ合わせ端部であり、各々の前記斜めパネル及び折り曲げ可能に取り付けられた側部端フラップが、側部端蓋体を構成しており、各側部端蓋体が穴を有し、該側部端蓋体は、固定手段によって合わせて保持されるように構成されている、該カートンブランクと、
（ｂ）２つの端部を有するかみ合わせセパレータパッドであって、該端部の各々がかみ合わせ端部であり、該パッドは４つの傾斜隅部を有し、該傾斜隅部の各々が、前記カートンの斜めパネルに近接するように構成されており、該パッドは、前記２つの物品層の間に位置するように構成され、該パッドの各端部は、前記カートンの、該パッドの該端部が近接する該端部上の前記側部端蓋体内の前記穴とかみ合わされるように構成されたかみ合わせ端部分を有し、該パッドの少なくとも一方の端部は、前記カートンの前記底部パネルに少なくともほぼ垂直である平面に折り曲げられるように構成された前フラップを有する、かみ合わせセパレータパッドとを備える、カートン用のブランク及びかみ合わせセパレータパッド。
【請求項３６】
前記セパレータパッドの前記端部分は、前記カートンの一方の端部の前記側部端蓋体とかみ合わされることができ、各側部端蓋体の前記穴はスロットであり、セパレータパッドの各かみ合わせ端部分は複数のタブを有し、該タブの各々は、側部端蓋体内のスロットを通って延出して前記セパレータパッドを前記側部端蓋体とかみ合わせることができ、前記カートンを形成して容器を装填するとき、前記セパレータパッドの各前フラップは、前記カートンの一方の端部の側部端蓋体と前記カートン内の近接した容器層との間に挟まれることができる、請求項３５に記載のブランク及びかみ合わせセパレータパッド。
【請求項３７】
前記セパレータパッドの各端部分は、前記カートンの一方の端部の側部端蓋体とかみ合わされることができ、各側部端蓋体の前記穴は、前記側部端蓋体を取り付けた前記側部パネルから遠位の端部内のスリットであり、前記セパレータパッドは、２つの前フラップを有し、該前フラップは、各前フラップを前記スリットに通して延出させ、カートンの前記底部パネルに垂直な平面に折り曲げることにより、前記前フラップは前記カートンの前記端部で前記側部端蓋体の前記スリットとかみ合わされることができる、請求項３５に記載のブランク及びかみ合わせセパレータパッド。
【請求項３８】
前記カートンは、除去時に各層から前記容器を取り出すことができるようにする開口を提供するディスペンサフラップを有し、該ディスペンサフラップは、前記カートンの端部に少なくともほぼ平行である、側部パネル内の底部引裂き線と、該底部引裂き線から間隔をおいてそれに少なくともほぼ平行に設けられた上部引裂き線とによって形成され、前記底部引裂き線及び前記上部引裂き線は、前記隣接した上部パネル内に延びて互いに相互接続し、且つ前記隣接した底部パネル内に延びて互いに相互接続しており、前記平行な引裂き線は、人が前記開口から容器を取り出すことができるようにするのに十分な距離だけ離れている、請求項３６に記載のブランク及びかみ合わせセパレータパッド。
【請求項３９】
前記カートンは、除去時に各層から前記容器を取り出すことができるようにする開口を提供するディスペンサフラップを有し、該ディスペンサフラップは、前記カートンの端部に少なくともほぼ平行である、側部パネル内の底部引裂き線と、該底部引裂き線から間隔をおいてそれに少なくともほぼ平行に設けられた上部引裂き線とによって形成され、前記底部引裂き線及び前記上部引裂き線は、前記隣接した上部パネル内に延びて互いに相互接続し、且つ前記隣接した底部パネル内に延びて互いに相互接続しており、前記平行な引裂き線は、人が前記開口から容器を取り出すことができるようにするのに十分な距離だけ離れている、請求項３７に記載のブランク及びかみ合わせセパレータパッド。
【請求項４０】
前記上部パネル及び前記底部パネルの各々は、４つの傾斜隅部を有し、該傾斜隅部の各々は、前記カートンの斜めパネルに近接している、請求項３に記載の複数の円筒形容器を詰め込んだカートン。
【請求項４１】
前記上部パネル及び前記底部パネルの各々は、４つの傾斜隅部を有し、該傾斜隅部の各々は、前記カートンの斜めパネルに近接している、請求項５に記載の複数の円筒形容器を詰め込んだカートン。
【請求項４２】
前記上部パネル及び該底部パネルの各々は、４つの傾斜隅部を有し、該傾斜隅部の各々は、前記カートンの斜めパネルに近接している、請求項１５に記載の複数の円筒形容器を詰め込んだカートン。
【請求項４３】
前記上部パネル及び前記底部パネルの各々は、４つの傾斜隅部を有し、該傾斜隅部の各々は、前記カートンの斜めパネルに近接している、請求項３０に記載の複数の円筒形容器を搬送するための、２つの端部を有するカートン。
【請求項４４】
前記上部パネル及び前記底部パネルの各々は、４つの傾斜隅部を有し、該傾斜隅部の各々は、前記カートンの斜めパネルに近接している、請求項３１に記載のカートン及びかみ合わせセパレータパッド。
【請求項４５】
前記上部パネル及び前記底部パネルの各々は、４つの傾斜隅部を有し、該傾斜隅部の各々は、前記カートンの斜めパネルに近接している、請求項３３に記載のカートン及びかみ合わせセパレータパッド。
【請求項４６】
前記上部パネル及び前記底部パネルの各々は、４つの傾斜隅部を有し、該傾斜隅部の各々は、前記カートンの斜めパネルに隣接している、請求項３５に記載のカートン用のブランク。
【請求項４７】
複数の円筒形容器を詰め込んだ、２つの端部を有する容器搬送カートンであって、
（ａ）底部パネル、上部パネル、及び折り曲げ可能に取り付けられて隣接した側部パネルを有し、各端部が、前記上部パネルに折り曲げ可能に取り付けられた上部端フラップ、前記底部パネルに折り曲げ可能に取り付けられた底部端フラップ、及び各側部パネルに折り曲げ可能に取り付けられた斜めパネル、及び各斜めパネルに折り曲げ可能に取り付けられた側部端フラップによって閉鎖されるかみ合わせ端部であり、各々の前記斜めパネル及び折り曲げ可能に取り付けられた側部端フラップが、側部端蓋体を構成しており、各側部端蓋体がスロットを有し、前記側部端蓋体は、接着によって合わせて保持されている、該カートンと、
（ｂ）各層に容器を少なくとも２列に並べた２つの円筒形容器層と、
（ｃ）２つの端部を有するかみ合わせセパレータパッドであって、該端部の各々が、かみ合わせ端部であり、該パッドは４つの傾斜隅部を有し、該傾斜隅部の各々が、該カートンの斜めパネルに近接しており、該パッドは、前記２つの容器層の間に位置し、該パッドの各端部が２つのタブを有し、該タブの各々が側部端蓋体内のスロットを通って延出して該セパレータパッドが前記側部端蓋体とかみ合わされ、該パッドの少なくとも一方の端部は、該カートンの一方の端部の前記側部端蓋体と該カートン内の近接した容器層との間に挟まれる前フラップを有する、かみ合わせセパレータパッドと
を備える、容器搬送カートン。
【請求項４８】
複数の円筒形容器を詰め込んだ、２つの端部を有する容器搬送カートンであって、
（ａ）底部パネル、上部パネル、及び折り曲げ可能に取り付けられて隣接した側部パネルを有し、各端部が、前記上部パネルに折り曲げ可能に取り付けられた上部端フラップ、前記底部パネルに折り曲げ可能に取り付けられた底部端フラップ、及び各側部パネルに折り曲げ可能に取り付けられた斜めパネル、及び各斜めパネルに折り曲げ可能に取り付けられた側部端フラップによって閉鎖されるかみ合わせ端部であり、各々の前記斜めパネル及び折り曲げ可能に取り付けられた側部端フラップが、側部端蓋体を構成しており、各側部端蓋体は、前記側部端蓋体を取り付けた前記側部パネルから遠位の前記蓋体の端部内にスリットを有し、前記端蓋体は、接着によって合わせて保持されている、該カートンと、
（ｂ）各層に容器を少なくとも２列に並べた２つの円筒形容器層と、
（ｃ）２つの端部を有するかみ合わせセパレータパッドであって、該端部の各々がかみ合わせ端部であり、該パッドは４つの傾斜隅部を有し、該傾斜隅部の各々が該カートンの斜めパネルに近接しており、該パッドは前記２つの容器層の間に位置し、該セパレータパッドの各端部分は、前フラップを有し、該前フラップは、各前フラップを前記スリットに通して延出させ、カートンの前記底部パネルに垂直な平面に折り曲げることにより、前記カートンの端部で前記側部端蓋体の前記スリットとかみ合わされる、かみ合わせセパレータパッドと
を備える、容器搬送カートン。
【発明の詳細な説明】
【技術分野】
【０００１】
発明の分野
本発明は包括的には、各層に２列以上に並べた２層の円筒形容器又は他の形式の物品を搬送するための斜面隅部を有するカートンに関する。カートンの両端部の側部端フラップとかみ合わされるかみ合わせデバイダパッド又はセパレータパッドが設けられている。このカートンは、カートン内の容器に手が届いてそれを取り出すことを容易にするために、側部パネル内にディスペンサを有することができる。
【背景技術】
【０００２】
背景
缶を搬送することができ、且つ一度に１つずつ缶を小出し（分配）する機構を備える完全閉鎖型カートンが従来より使用されてきた。缶を２層にして搬送するとき、これらのディスペンサの多くは満足に動作しない。特定の製品の缶を、特に缶の寸法が小さい場合、２層にして搬送することが望ましい。２層の缶を収容しているカートン内の各層から缶を小出しすることができるディスペンサを設けることが望ましいであろう。カートンのディスペンサが適正に動作するために、２層の缶を分離するデバイダパッド又はセパレータパッドを有することが望ましいであろう。そうでなければ、一方の層の缶が他方の層の缶の小出しを妨害する可能性がある。カートン内のすべての缶の小出し中、所定位置に留まろうとするデバイダパッド又はセパレータパッドを有することも望ましいであろう。斜面隅部を有するカートンであって、当該カートンの側部パネル内にディスペンサを有するカートンとともに動作するデバイダパッド又はセパレータパッドを有することも望ましいであろう。
【発明の開示】
【課題を解決するための手段】
【０００３】
［発明の概要］
簡単に説明すると、本発明は、２つの缶又は他の物品の層を搬送することができ、缶又は他の物品の２つの層を分離するかみ合わせセパレータ又はデバイダパッドを有する閉鎖型カートンに関する。カートンは、底部パネル、上部パネル、及び折り曲げ可能に取り付けられた側部パネルを有する。本発明のカートンは、斜面隅部を有し、これは、円筒形容器を包装するとき、より緊密な包装を可能にし、且つ板紙を節約する。カートンの各端部は、上部端フラップと、底部端フラップと、１対の側部端蓋体とによって閉鎖され、側部端蓋体の各々は、側部パネルに取り付けられた斜めパネルと、当該斜めパネルに取り付けられた側部端フラップとを有する。カートンの各端部は、斜めパネル及び側部端フラップを閉じ、上部端フラップ及び底部端フラップを側部端フラップに固定することによって閉鎖される。
【０００４】
かみ合わせデバイダパッド又はセパレータパッドが、円筒形容器などの物品を２層に分離する。セパレータパッドは、カートンとかみ合わされる。セパレータパッドは、各端蓋体内の穴を通ってかみ合わされる端部分を各端部に有する。セパレータパッドは、カートンの底部パネルに垂直な平面に折り曲げられる前フラップを一方の端部に有する。セパレータパッドの各端部が前フラップを有してもよい。
【０００５】
本発明の一実施の形態では、セパレータパッドの各端部は、端蓋体内のスロットを通って延出する２つ以上のタブを有する。このセパレータパッドは、カートン内に収容された物品又は容器と端蓋体との間で上向き又は下向きに折り曲げられる前フラップを有する。この前フラップは、物品又は容器をカートンからディスペンサ開口を通して取り出す間、セパレータパッドを適正位置に保持するのを助ける。
【０００６】
本発明の別の実施形態では、カートンの各端部の各側部端フラップがスリットを有し、それを通ってセパレータパッドの前フラップが延出して、上向き又は下向きに折り曲げられる。この前フラップは、上部端フラップ又は底部端フラップと側部端フラップとの間に挟まれ、これにより、セパレータパッドがカートン内の固定位置に保持される。
【０００７】
上記の各実施形態から形成されたカートンの端部は、カートンの各端部の上部端フラップ及び底部端フラップを側部端フラップに接着することによって合わせて保持されることができる。
【０００８】
本発明のカートン及びかみ合わせセパレータパッドは、各層に缶又は他の物品を２列以上に並べた缶又は他の物品の２つの層を搬送するために使用される。缶を１群に並べ、その群の缶の上にかみ合わせセパレータパッドを載せて、別群の缶をかみ合わせセパレータパッドの上に積み重ねる。次に、２つの缶層をカートンに押し込み、かみ合わせセパレータパッドをカートンにロックする。
【０００９】
このカートンは、各層から缶を、一度に１つずつ小出しするためのディスペンサを有することができる。１つの形式のディスペンサは、側部パネルに配置されて、ディスペンサに近接した端部を下にしてカートンを置いているとき、缶をカートンから小出しすることができる。このディスペンサは、側部パネルにディスペンサフラップを形成する２つの平行な引裂き線によって形成され、これらの平行な引裂き線は側部パネルを横切って、隣接した上部パネル及び底部パネル内へ延び、そこで底部引裂き線及び上部引裂き線が相互接続される。これらの引裂き線は、カートンに入れて搬送する缶の直径にほぼ等しい距離だけ互いに離れている。１つの引裂き線が、側部パネル内で上部引裂き線及び底部引裂き線を相互接続しており、フラップを実質的に２つの部分に分割するその引裂き線の各側に折り曲げ可能に取り付けられたフィンガフラップを有することができる。これらのフィンガフラップを押し込み、人がフラップの２つの部分を把持して引き開き、各層から缶を小出しするためのディスペンサ開口を形成することができる。ディスペンサフラップを形成するための底部引裂き線は、小出し中に下になっているカートンの端部に対して、缶が開口から転がり出ることを防止するのに十分に近い間隔にある。この底部引裂き線は、カートンのこの端部の直近の缶を取り出すことを困難にするほどカートンのこの端部から離して配置されるべきではない。ディスペンサフラップを取り除いたとき、缶の端部を容易に把持できるようにするために、底部パネル及び上部パネル内で上部引裂き線及び底部引裂き線を相互接続する引裂き線が缶の湾曲と同様に湾曲していることが好ましい。ほとんどの缶の場合で、この底部引裂き線は、小出し中に下になっているカートンの端部から約２．５４ｃｍ（１インチ）の位置にあるだけでよい。上部パネル及び底部パネル内で底部引裂き線と、缶の小出し中に下になっているカートンの端部との間に引裂き線を設けて、底部引裂き線とカートンのその端部との間にレッジを形成してもよい。底部引裂き線とカートンの端部との間のこれらの引裂き線を切り開き、レッジを前方に移動させると、ディスペンサ開口から缶を取り出す際の抵抗がより小さくなるであろう。缶を小出しするためにカートンの側部パネルにディスペンサ開口を設けることにより、ディスペンサ開口に近接した端部を下にしてカートンを置いている間、消費者への広告用に側部パネルのディスペンサの上方に大きいディスプレイ領域を提供することができる。
【００１０】
このカートンは、上部パネル内の２つのフィンガ穴によって形成される運搬用ハンドルを有することができる。これらのカートンは、接着、テープ留め又はステープル留めなどによって構成されるであろう。カートンに２つのディスペンサを設けてもよい。１つのカートンに１つのディスペンサだけを使用することが好ましい。
【００１１】
本カートンは様々な形式の物品を搬送するために使用されることができるが、カートン内の斜面隅部を利用してカートンが円筒形容器の周りを緊密に包み込むことができるため、これは缶などの円筒形容器の搬送用に特に設計されている。
【００１２】
以下の図面を参照することにより、本発明の多くの態様をより十分に理解することができる。図面の構成要素は必ずしも同一縮尺ではなく、代わりに本発明の原理を明確に説明することに重点を置いている。さらに、図面において、幾つかの図を通して同様の参照符号が対応部品を示している。
【発明を実施するための最良の形態】
【００１３】
［好適な実施形態の詳細な説明］
本発明は主に、肉製品、野菜及び魚を収容するために使用されるタイプの缶に使用される。本発明のカートンは主に、カートン内で各層に２列以上に並べた２層に積み重ねられた缶に有用である。これらの缶は一般的に、５．０８〜７．６２ｃｍ（２〜３インチ）の高さしかなく、一般的にこれらの缶はカートン内で各層に１２個の缶を並べて２層に積み重ねられる。
【００１４】
図１及び図５に示されているように、本発明のカートンを形成するためのブランク１０及び２１０は、板紙等の折り曲げ可能なシート状材料から形成される。図１Ａ及び図５Ａに示されているようなかみ合わせセパレータパッドを形成するためのブランク１１０及び３１０も、板紙等の折り曲げ可能なシート状材料から形成される。
【００１５】
本発明のカートンを形成するためのブランク１０は、接着フラップ１２を有し、これは折り曲げ線１６によって底部パネル１４に取り付けられ、折り曲げ線２０によって側部パネル１８に相互接続されている。側部パネル１８は、折り曲げ線２４によって上部パネル２２に接続され、折り曲げ線２８によって対向の側部パネル２６に接続されている。
【００１６】
底部パネル１４は、折り曲げ線３２によって底部端フラップ３０に接続され、また折り曲げ線３６によって対向の底部端フラップ３４に接続されている。側部パネル１８は、折り曲げ線４０によって側部斜めパネル３８に接続され、次に折り曲げ線４４によって側部端フラップ４２に接続されている。カートンの他方の端部において、側部パネル１８は、折り曲げ線４８によって側部斜めパネル４６に接続され、次に折り曲げ線５２によって対向の側部端フラップ５０に接続されている。
【００１７】
上部パネル２２は、折り曲げ線５６によって上部端フラップ５４に、また折り曲げ線６０によって対向の上部端フラップ５８に接続されている。対向の側部パネル２６は、折り曲げ線６４によって側部斜めパネル６２に接続され、次に折り曲げ線６８によって側部端フラップ６６に接続されている。側部斜めパネル及び隣接の側部端フラップ（たとえば６２及び６６）が、側部端蓋体を構成する。カートンの他方の端部において、対向の側部パネル２６は、折り曲げ線７２によって側部斜めパネル７０に接続され、次に折り曲げ線７６によって対向の側部端フラップ７４に接続されている。
【００１８】
底部パネル１４及び上部パネル２２は、パネルの各隅部に傾斜隅部７８Ａ〜Ｈを有する。このカートンは、図４に最もわかりやすく示されているように、１つの側部パネルにディスペンサ開口Ｂを有することができる。ディスペンサ開口Ｂは、図１に示されているように、２つの部分８０Ａ、８０Ｂで示されている側部ディスペンサフラップを側部パネル１８内に設け、底部パネル１４及び上部パネル２２内へ延出させることによって使用可能にすることができる。この側部ディスペンサフラップ８０Ａ、８０Ｂは、側部パネル１８内において互いに平行である、相互接続引裂き線８２Ｃ及び８２Ｄによって相互接続された上部引裂き線８２Ａ及び底部引裂き線８２Ｂによって形成されている。これらの２つの部分８０Ａ及び８０Ｂを単一フラップとして形成することもできるが、開きやすくするために、２つの部分を有することが好ましい。部分８０Ａ及び８０Ｂを分離する中間引裂き線８４に沿ってフィンガフラップ８６Ａ及び８６Ｂを設け、それによってこれらの部分の開放を助けてもよい。フィンガフラップ８６Ａは、折り曲げ線９０Ａによって部分８０Ａに取り付けられ、フィンガフラップ８６Ｂは、折り曲げ線９０Ｂによって部分８０Ｂに取り付けられている。フィンガフラップ８６Ａ及び８６Ｂは、切れ目８８を入れることによって形成される。
【００１９】
部分８０Ａ及び８０Ｂを取り除いた後、（図４に示されているように）ディスペンサ開口Ｂから缶を取り出しやすくするために、レッジ引裂き線９２Ａ及び９２Ｂを設けて、底部引裂き線８２Ｂ及び折り曲げ線４８間に形成されたレッジ９４を移動させてディスペンサ開口Ｂからの缶の取り出しを容易にすることができる。
【００２０】
セパレータパッド１１４をカートンにかみ合わせるために、各側部端蓋体にスロット９６Ａ〜Ｄを設けてもよい。このスロットは、側部端フラップ（たとえば、４２）内に形成されることができ、又はスロット（たとえば、９６Ａ）は、側部端フラップ及び側部斜めパネル（たとえば、図１に示されている４２及び３８）の両方に延びるように形成されてもよい。スロットは、その中心が側部端フラップ及び側部斜めパネル間の折り曲げ線（たとえば、４４）上に位置決めされることが好ましい。これらのスロット９６Ａ〜Ｂの機能については以下に説明する。これらのスロット９６Ａ〜Ｄは、カートンの底部パネル１４から、カートン内の下層に入れる物品又は容器の高さの位置に設けられる。言い換えると、スロットは、かみ合わせセパレータパッドをカートン内に収容する物品又は缶の２つの層の間に設置できるようにする位置にある。
【００２１】
ブランク１０から形成されたカートン用のかみ合わせセパレータパッドを形成するためのブランク１１０が、図１Ａに示されている。このブランク１１０は、折り曲げ線１１６によってセパレータパッド１１４に折り曲げ可能に取り付けられた前フラップ１１２を有する。セパレータパッド１１４は、パッドのこの端部に２つのタブ１１８Ａ及び１１８Ｂを有し、パッドの他方の端部にタブ１１８Ｃ及び１１８Ｄを有する。セパレータパッド１１４は傾斜隅部１２４Ａ〜Ｄを有し、その機能については以下に説明する。物品又は缶をカートンからディスペンサ開口Ｂを通して取り出しやすくするために、セパレータパッド１１４に切り欠き部１２２を設けてもよい。セパレータパッド１１４の縁部１２０Ａ及び１２０Ｂ間の幅ＷＰは、図１のブランクから形成されたカートンの折り曲げ線２４及び２８間の上部パネル２２の幅ＷＴより少なくともわずかに狭くなければならない。セパレータパッド１１４の長さＬＰは、折り曲げ線５６及び６０間の上部パネル２２の長さＬＴとほぼ同じ長さでなければならない。前フラップ１１２の高さＨは、カートンに収容する物品又は缶より高くあってはならず、そうでなければ、それを所定位置に適切に折り曲げることができない。
【００２２】
本実施形態のブランク１０は、接着フラップ１２を対向の側部パネル２６に接着して図２に示されているようにスリーブを形成することにより、カートンスリーブの形にされる。かみ合わせセパレータパッド１１４用のブランク１１０を、図２及び図３に示されているように、３列に並べられた１つの缶層の上に載せる。カートンに装填するとき、図２に示されているように、前フラップ１１２を下向きに折り曲げて、下層の缶をカートンに押し込む。各層に２列だけ、又は３列より多い物品又は缶を有することが可能である。３列に並べた缶の第２層をそれからセパレータパッド１１４の上に載せる、又はカートンに挿入する前に、セパレータパッド１１４の上に載せることができる。次に、側部斜めパネル及び隣接の側部端フラップからなる各側部端蓋体を閉じる。図３に示されているように、側部端フラップ６６及び隣接の側部斜めパネル６２を閉じる結果、図３に示されているように、セパレータパッド１１４のタブ１１８Ａがスロット９６Ｃを通って突出する。端蓋体を閉じるとき、図２及び図３に示されているように、斜めパネル６２が、セパレータパッド１１４の傾斜隅部１２４Ｂ及び上部パネル２２の傾斜隅部７８Ｆ及び底部パネル１４の傾斜隅部７８Ｂに当たって閉じる。その結果、缶を包装したとき、緊密に詰まったカートンが得られる。側部斜めパネル６２は、そうでなければカートンの空隙隅部になるはずのものを切り取る。側部斜めパネル６２は、缶の外周の一部分に直に近接している。セパレータパッド１１４の傾斜隅部１２４Ｂにより、カートンに円筒形容器を緊密に詰めることができる。側部斜めパネルを有するカートンを使用することにより、カートンに容器をより緊密に詰めることができるだけでなく、必要な板紙の量が減少する。
【００２３】
図３に示されているように、セパレータパッド１１４のタブ１１８Ａは、スロット９６Ｃを越えてわずかな長さ突出するだけである。図１に示されているように、スロットを側部斜めパネル及び隣接の側部端フラップの両方に設けるとき、このことが重要である。タブが側部斜めパネルを越えてかなりの長さ突出することは、カートンの積み重ね及び取り扱いを妨害する可能性がある。スロットを側部端フラップ全体に設けることもでき、その場合、上部端フラップ及び底部端フラップによってカートンを最終的に閉じる前に、タブを上向き又は下向きに折り曲げることができるであろう。図３に示されているように、タブ１１８Ａの厚さ及び幅は、それを突出させるスロット９６Ｃの厚さ及び幅よりわずかに小さいだけである。タブ１１８Ａ〜Ｄは、缶がカートンからディスペンサを通して取り出されるとき、セパレータパッド１１４が底部パネル又は上部パネルの方に移動することを防止する。底部端フラップ３０及び上部端フラップ５４を折り曲げ、それらを側部端フラップ４２及び６６に接着することにより、カートンを閉じることができる。カートンの他方の端部も同様に閉じられる。セパレータパッド１１４の前フラップ１１２は、缶と側部端フラップとの間に挟まれる。前フラップ１１２は、缶をディスペンサから取り出すとき、セパレータパッド１１４を適正位置に保持するのを助ける。それはまた、カートンの他方の端部を開いたとき、セパレータパッド１１４を２つの缶層の間に保持する。所望ならば、前フラップ１１２のような前フラップをセパレータパッド１１４の他方の端部に設け、カートンから缶を取り出す間、カートン内のセパレータパッドの適正位置をさらに確実に維持することができる。カートンの上部パネル２２及び底部パネル１４が同一であるので、前フラップ１１２を上向き又は下向きのいずれに折り曲げることもできる。カートンの各端部でスロット９６Ａ〜Ｄを通って突出するタブ１１８Ａ〜Ｄと前フラップ１１２とにより、セパレータパッドをカートンに接着しなくても、セパレータパッド１１４がかみ合わせ位置に保持される。これにより、そうでなければカートンに缶を装填する際に必要である別のステップが省かれる。
【００２４】
図４に示されているように、ディスペンサ開口Ｂは、ディスペンサ開口に近接した端部を下にして缶入りカートンを置いているとき、使用されることができる。ディスペンサ開口Ｂは、部分８０Ａ及び８０Ｂを取り除くことによって形成されることができる。ディスペンサフラップは、フィンガフラップ８６Ａ及び８６Ｂを押し込み、部分８０Ａ及び８０Ｂを上部引裂き線８２Ａ及び底部引裂き線８２Ｂに沿って切り離し、フラップを取り除くことによって容易に開かれることができる。図４に示されているように、各缶層から缶Ｃを取り出すことができる。上部引裂き線８２Ａと底部引裂き線８２Ｂとの間の距離は、缶の直径にほぼ等しくなければならない。底部引裂き線８２Ｂと折り曲げ線４８との間の距離は、多くの寸法の缶の場合で約２．５４ｃｍ（１インチ）であることが好ましい。底部引裂き線８２Ｂと折り曲げ線４８との間の距離を缶の直径より相当に短くして、ディスペンサ開口Ｂが開いているとき、缶がカートンから自然に転がり出ることを防止できるようにしなければならない。引裂き線９２Ａ及び９２Ｂをレッジに沿って切り離すことにより、底部引裂き線８２Ｂと折り曲げ線４８との間のディスペンサレッジ９４を前方に移動させることができる。
【００２５】
本発明の別の実施形態が、図５〜図７に示されている。本実施形態のカートンを形成するためのブランクの平面図が、図５に示されている。ブランク２１０上の符号は、説明するような省略又は追加を除いて、図１に示されているブランク１０の符号と同じである。ブランク２１０の側部端蓋体は、側部端フラップ５０、７４、６６及び４２内にスリット２１２Ａ〜Ｄを有する。これらのスリット２１２Ａ〜Ｄは、側部斜めパネル４６、７０、６２及び３８内へわずかに延びてもよい。これらのスリット２１２Ａ〜Ｄは、以下に説明するかみ合わせセパレータパッドを受け取るように構成されている。これらのスリット２１２Ａ〜Ｄは、カートンを形成したとき、側部端蓋体において底部パネル１４から、下層に収容する物品又は缶の高さにほぼ等しい距離をおいた位置にある。言い換えると、これらのスリットは、かみ合わせセパレータパッドを物品又は缶の２つの層の間に配置することができるような位置にある。
【００２６】
ブランク２１０から形成されたカートン用のかみ合わせセパレータパッド用のブランク３１０が、図５Ａに示されており、その符号は、説明するような省略又は追加を除いて、図１Ａに示されているものと同じである。このブランク３１０は、折り曲げ線１１６によってセパレータパッド１１４に取り付けられた前フラップ３１２を有する。それは、折り曲げ線３１６によってセパレータパッド１１４に取り付けられた後フラップ３１４も有する。前フラップ３１２及び後フラップ３１４の高さＨは、カートン内に収容する缶又は物品の高さより大きくあってはならず、そうでなければ、フラップを適正位置に折り曲げることが困難であろう。
【００２７】
本実施形態のブランク２１０は、図１のブランク１０をカートンスリーブの形にした方法と同じ方法で、カートンスリーブの形にされる。かみ合わせセパレータパネル用のブランク３１０を、３列に並んだ缶又は物品の１つの層の上に載せる。次に、３列に並んだ上側の缶又は物品の層をセパレータパッド１１４の上に載せて、図６に示されているように、カートンスリーブ内に入れることができる。次に、それぞれ側部斜めパネル及び側部端フラップからなる側部端蓋体を閉じる。カートン上のすべての側部端蓋体が閉鎖されるまで、スリット２１２Ａ〜Ｄを前フラップ３１２及び後フラップ３１４に沿って押す。図６に示されているように、前フラップ３１２は、側部斜めパネル６２及び側部端フラップ６６内のスリット２１２Ｃを通り、また側部斜めパネル３８及び側部端フラップ４２内のスリット２１２Ｄを通って延出する。カートン及びセパレータパッドの特殊な構造に応じて、これらのスリットを側部端フラップだけに形成し、側部斜めパネル内に延在させないこともできることを指摘する必要がある。ここで、前フラップ３１２及び後フラップ３１４を上向き又は下向きに折り曲げることができる。ここで、底部端フラップ３０及び３４と上部端フラップ５４及び５８とを閉じて、それぞれの側部端フラップ４２、５０、６６及び７４に接着することができる。前フラップ３１２及び後フラップ３１４は、側部端フラップと底部端フラップ上の上部端フラップとの間に緊密に挟まれる。本実施形態用のセパレータパッド１１４は、かみ合わせ位置においてセパレータパッド１１４を側部端フラップ４２、５０、６６及び７４の内側にしっかり保持するロッキング縁部３１８Ａ〜Ｄによって、カートンの側部端蓋体とかみ合わされる。このセパレータパッド１１４は、カートンに接着しなくても、このかみ合わせ位置に保持され、これにより、カートンの装填及び密封における１つのステップが省かれる。ロッキング縁部３１８Ａ〜Ｄがスリット２１２Ａ〜Ｄとかみ合って、１方の層又は両方の層の缶をカートンから取り出すとき、かみ合わせセパレータパッド１１４を適正位置に保持することができる。スリット２１２Ａ〜Ｄは、セパレータパッド１１４が底部パネル又は上部パネルの方に移動することを防止する。前フラップ３１２及び後フラップ３１４は、側部端フラップと上部端フラップ又は底部端フラップとの間に挟まれる。これにより、缶をカートンからディスペンサ又はカートンの端部を通して取り出しているときにセパレータパッド１１４が移動することが防止される。前フラップ及び後フラップの高さは、カートンに収容された缶の高さより大きくあってはならならい。前フラップ３１２及び後フラップ３１４の高さＨは、カートン内に収容する缶の高さよりわずかに低いことが好ましい。
【００２８】
図４に示されているような第１実施形態のディスペンサ開口Ｂから缶を取り出す方法と同じ方法で、本実施形態のカートンから缶を取り出すことができる。
【００２９】
本発明を好適な形で開示してきたが、特許請求の範囲に述べられている本発明の精神及び範囲、及びその均等物から逸脱しない限り、多くの修正、追加及び削除をそれに加えることができることは、当業者には明かであろう。
【図面の簡単な説明】
【００３０】
【図１】本発明の一実施形態によるカートンを構成するブランクの平面図である。
【図１Ａ】本発明の一実施形態によるかみ合わせセパレータパッド用の平面図である。
【図２】図１Ａのセパレータパッドをカートン内に装填された２つの缶層の間に置いた状態での、図１のブランクから形成されたカートンの端部の斜視図である。この図は前フラップが下向きに折り曲げられる様子を示す。
【図３】パッド上の２つのタブがフラップ及びパネルのスロットを通って延出している状態を示す、前フラップが下向きに折り曲げられ、カートンの一方の端部の側部端フラップ及び斜めパネルが閉鎖されている、図２に示されたカートンの端部斜視図である。
【図４】側部ディスペンサを開いた端部を下にして置いたカートンを示す、図３の閉鎖状態のカートンの斜視図である。
【図５】本発明の別の実施形態によるカートンを構成するブランクの平面図である。
【図５Ａ】本発明の別の実施形態によるかみ合わせセパレータパッドの平面図である。
【図６】図５のブランクから形成されたカートン、及び２つの缶の層の間に置いてカートン内へ移動させた図５Ａのセパレータパッドの斜視図であって、スリットを有する斜めパネル及び側部端フラップが閉鎖され、セパレータパッドの前フラップがスリットを通って延出している状態での斜視図である。
【図７】カートンの端部の両方の斜めパネル及び側部端フラップが閉じられており、底部端フラップ及び上部端フラップを折り曲げて閉じる前に、スリットを通って延出している前フラップを下向きに折り曲げることができる状態にある、図６のカートンの斜視図である。
【図１】
2007519580.tif 000003
【図１Ａ】
2007519580.tif 000004
【図２】
2007519580.tif 000005
【図３】
2007519580.tif 000006
【図４】
2007519580.tif 000007
【図５】
2007519580.tif 000008
【図５Ａ】
2007519580.tif 000009
【図６】
2007519580.tif 000010
【図７】
2007519580.tif 000011
【国際調査報告】
2007519580.tif 000012
2007519580.tif 000013